(57)【特許請求の範囲】
【請求項１】
情報配信サービスを受けるために情報を提供するインターネット上の複数の情報配信装置のいずれかに接続を行うインターネット接続装置であって、
前記インターネット接続装置は、
提供する情報配信サービスの名称と、このサービスを提供する前記情報配信装置のＵＲＬと、このサービスを一意に識別可能なサービスＩＤとが関連つけられて記憶された配信サービス情報記憶手段と、
前記配信サービス情報記憶手段に記憶されているサービスＩＤを持つ情報配信サービスの提供を受ける場合の認証要求に対して入力するべきユーザＩＤ及びパスワードと、前記サービスＩＤとが関連つけられて記憶されたＩＤ変換情報記憶手段と、
前記配信サービス情報記憶手段に記憶されている情報配信サービスの名称のリストを表示し、表示されたリストの中から所望のサービスの名称をユーザに選択させるサービス選択手段と、
選択されたサービスの名称に関連つけられているＵＲＬを前記配信サービス情報記憶手段から読み出し、この読み出したＵＲＬを有する前記情報配信装置に対して利用依頼を行う接続要求手段と、
前記配信サービス情報記憶手段から読み出したＵＲＬに関連つけられているサービスＩＤと同一のサービスＩＤに関連つけられているユーザＩＤ及びパスワードを前記ＩＤ変換情報記憶手段から読み出すことにより、前記情報配信装置からの認証要求に対して入力するべきユーザＩＤ及びパスワードを求めるＩＤ変換手段と、
前記ＩＤ変換情報記憶手段から読み出したユーザＩＤ及びパスワードを認証要求に対する応答として前記情報配信装置に対して送信する認証要求応答手段と
を備えたことを特徴とするインターネット接続装置。
【請求項２】
前記インターネット接続装置は、
ユーザが入力したサービスＩＤ、サービス名称、ＵＲＬ、ユーザＩＤ及びパスワードのうち、サービスＩＤ、サービス名称及びＵＲＬを前記配信サービス情報記憶手段に登録し、サービスＩＤ、ユーザＩＤ及びパスワードを前記ＩＤ変換情報記憶手段に登録し、前記配信サービス情報記憶手段に登録された情報と前記ＩＤ変換情報記憶手段に登録した情報とを、入力されたサービスＩＤで関連つける配信サービス情報登録手段をさらに備えたことを特徴とする請求項１に記載のインターネット接続装置。
【請求項３】
情報を提供するインターネット上の複数の情報配信装置のいずれかに接続を行うために、提供する情報配信サービスの名称と、このサービスを提供する前記情報配信装置のＵＲＬと、このサービスを一意に識別可能なサービスＩＤとが関連つけられて記憶された配信サービス情報記憶手段と、前記配信サービス情報記憶手段に記憶されているサービスＩＤを持つ情報配信サービスの提供を受ける場合の認証要求に対して入力するべきユーザＩＤ及びパスワードと、前記サービスＩＤとが関連つけられて記憶されたＩＤ変換情報記憶手段とを備えたインターネット接続装置上で動作するインターネット接続プログラムを記録したコンピュータ読み取り可能な記録媒体であって、
前記インターネット接続プログラムは、
前記配信サービス情報記憶手段に記憶されている情報配信サービスの名称のリストを表示し、表示されたリストの中から所望のサービスの名称をユーザに選択させるサービス選択処理と、
選択されたサービスの名称に関連つけられているＵＲＬを前記配信サービス情報記憶手段から読み出し、この読み出したＵＲＬを有する前記情報配信装置に対して利用依頼を行う接続要求処理と、
前記配信サービス情報記憶手段から読み出したＵＲＬに関連つけられているサービスＩＤと同一のサービスＩＤに関連つけられているユーザＩＤ及びパスワードを前記ＩＤ変換情報記憶手段から読み出すことにより、前記情報配信装置からの認証要求に対して入力するべきユーザＩＤ及びパスワードを求めるＩＤ変換処理と、
前記ＩＤ変換情報記憶手段から読み出したユーザＩＤ及びパスワードを認証要求に対する応答として前記情報配信装置に対して送信する認証要求応答処理と
をコンピュータに行わせることを特徴とするインターネット接続プログラムを記録した記録媒体。
【請求項４】
前記インターネット接続プログラムは、
ユーザが入力したサービスＩＤ、サービス名称、ＵＲＬ、ユーザＩＤ及びパスワードのうち、サービスＩＤ、サービス名称及びＵＲＬを前記配信サービス情報記憶手段に登録し、サービスＩＤ、ユーザＩＤ及びパスワードを前記ＩＤ変換情報記憶手段に登録し、前記配信サービス情報記憶手段に登録された情報と前記ＩＤ変換情報記憶手段に登録した情報とを、入力されたサービスＩＤで関連つける配信サービス情報登録処理をさらにコンピュータに行わせることを特徴とする請求項３に記載のインターネット接続プログラムを記録した記録媒体。
【発明の詳細な説明】
【０００１】
【発明の属する技術分野】
本発明は、情報配信サービスを受けるために情報を提供するインターネット上の情報配信装置に接続を行うインターネット接続装置、インターネット接続方法、及びインターネット接続プログラムを記録した記録媒体に関する。
【０００２】
【従来の技術及び発明が解決しようとする課題】
コンピュータネットワークを使用して、情報配信サービスを受ける場合、利用者は、予め付与されたユーザＩＤと利用者が任意に設定したパスワードを入力し認証を受けた後に情報配信サービスを受けることになる。通常、利用者に対して付与されるユーザＩＤは、受けるサービス毎に付与されるため、利用者は複数のユーザＩＤを有することとなる。
ところで、ユーザＩＤは、一般的に公知の情報であるため、パスワードを秘密の情報とすることによって、ユーザＩＤを第三者が不正使用することを防止している。このため、複数のユーザＩＤに対して、異なるパスワードを設定することとによってさらに不正使用の防止をすることが望ましい。
【０００３】
しかしながら、複数のユーザＩＤを有する利用者にとっては、複数のユーザＩＤとパスワードの組合せを該当するサービス毎に覚えておかなければならず、煩わしいという問題がある。
【０００４】
本発明は、このような事情に鑑みてなされたもので、接続したいサービス名を選択するだけで、ユーザＩＤ及びパスワードを接続の度に入力することなく、簡単に接続動作を行うことができるインターネット接続装置、インターネット接続方法、及びインターネット接続プログラムを記録した記録媒体を提供することを目的とする。
【０００５】
【課題を解決するための手段】
請求項１に記載の発明は、情報配信サービスを受けるために情報を提供するインターネット上の複数の情報配信装置のいずれかに接続を行うインターネット接続装置であって、前記インターネット接続装置は、提供する情報配信サービスの名称と、このサービスを提供する前記情報配信装置のＵＲＬと、このサービスを一意に識別可能なサービスＩＤとが関連つけられて記憶された配信サービス情報記憶手段と、前記配信サービス情報記憶手段に記憶されているサービスＩＤを持つ情報配信サービスの提供を受ける場合の認証要求に対して入力するべきユーザＩＤ及びパスワードと、前記サービスＩＤとが関連つけられて記憶されたＩＤ変換情報記憶手段と、前記配信サービス情報記憶手段に記憶されている情報配信サービスの名称のリストを表示し、表示されたリストの中から所望のサービスの名称をユーザに選択させるサービス選択手段と、選択されたサービスの名称に関連つけられているＵＲＬを前記配信サービス情報記憶手段から読み出し、この読み出したＵＲＬを有する前記情報配信装置に対して利用依頼を行う接続要求手段と、前記配信サービス情報記憶手段から読み出したＵＲＬに関連つけられているサービスＩＤと同一のサービスＩＤに関連つけられているユーザＩＤ及びパスワードを前記ＩＤ変換情報記憶手段から読み出すことにより、前記情報配信装置からの認証要求に対して入力するべきユーザＩＤ及びパスワードを求めるＩＤ変換手段と、前記ＩＤ変換情報記憶手段から読み出したユーザＩＤ及びパスワードを認証要求に対する応答として前記情報配信装置に対して送信する認証要求応答手段とを備えたことを特徴とする。
【０００６】
請求項２に記載の発明は、前記インターネット接続装置は、ユーザが入力したサービスＩＤ、サービス名称、ＵＲＬ、ユーザＩＤ及びパスワードのうち、サービスＩＤ、サービス名称及びＵＲＬを前記配信サービス情報記憶手段に登録し、サービスＩＤ、ユーザＩＤ及びパスワードを前記ＩＤ変換情報記憶手段に登録し、前記配信サービス情報記憶手段に登録された情報と前記ＩＤ変換情報記憶手段に登録した情報とを、入力されたサービスＩＤで関連つける配信サービス情報登録手段をさらに備えたことを特徴とする。
【０００９】
請求項３に記載の発明は、情報を提供するインターネット上の複数の情報配信装置のいずれかに接続を行うために、提供する情報配信サービスの名称と、このサービスを提供する前記情報配信装置のＵＲＬと、このサービスを一意に識別可能なサービスＩＤとが関連つけられて記憶された配信サービス情報記憶手段と、前記配信サービス情報記憶手段に記憶されているサービスＩＤを持つ情報配信サービスの提供を受ける場合の認証要求に対して入力するべきユーザＩＤ及びパスワードと、前記サービスＩＤとが関連つけられて記憶されたＩＤ変換情報記憶手段とを備えたインターネット接続装置上で動作するインターネット接続プログラムを記録したコンピュータ読み取り可能な記録媒体であって、前記インターネット接続プログラムは、前記配信サービス情報記憶手段に記憶されている情報配信サービスの名称のリストを表示し、表示されたリストの中から所望のサービスの名称をユーザに選択させるサービス選択処理と、選択されたサービスの名称に関連つけられているＵＲＬを前記配信サービス情報記憶手段から読み出し、この読み出したＵＲＬを有する前記情報配信装置に対して利用依頼を行う接続要求処理と、前記配信サービス情報記憶手段から読み出したＵＲＬに関連つけられているサービスＩＤと同一のサービスＩＤに関連つけられているユーザＩＤ及びパスワードを前記ＩＤ変換情報記憶手段から読み出すことにより、前記情報配信装置からの認証要求に対して入力するべきユーザＩＤ及びパスワードを求めるＩＤ変換処理と、前記ＩＤ変換情報記憶手段から読み出したユーザＩＤ及びパスワードを認証要求に対する応答として前記情報配信装置に対して送信する認証要求応答処理とをコンピュータに行わせることを特徴とする。
【００１０】
請求項４に記載の発明は、前記インターネット接続プログラムは、ユーザが入力したサービスＩＤ、サービス名称、ＵＲＬ、ユーザＩＤ及びパスワードのうち、サービスＩＤ、サービス名称及びＵＲＬを前記配信サービス情報記憶手段に登録し、サービスＩＤ、ユーザＩＤ及びパスワードを前記ＩＤ変換情報記憶手段に登録し、前記配信サービス情報記憶手段に登録された情報と前記ＩＤ変換情報記憶手段に登録した情報とを、入力されたサービスＩＤで関連つける配信サービス情報登録処理をさらにコンピュータに行わせることを特徴とする。
【００１１】
【発明の実施の形態】
以下、本発明の一実施形態による電子情報配送システムを図面を参照して説明する。図１は同実施形態の構成を示すブロック図である。この図において、符号１は、電子情報配送システムである。符号２は、電子情報配送システム１を利用して、情報を提供する情報提供者である。符号３は、電子情報配送システム１を利用する利用者であり、情報提供者２が提供する情報を、パソコン上で動作するＷｅｂブラウザ３１とインターネット接続可能な携帯電話３２を使用して取得する。符号１ａは、電子情報の配送処理を管理する管理部であり、電子情報配送システム１の運転を管理する運転管理部１１と配送する電子情報の管理を行う配送情報管理部１２からなる。符号１ｂは、配送処理部である。符号１３は、配送情報管理部１２において受けた情報提供者からの情報に対してフィルタ処理を施すフィルタ機能部である。符号１４は、フィルタ機能部１４によってフィルタリングされた情報を個別化する個別化機能部である。
【００１２】
符号１５は、個別化機能部１４によって個別化された情報を振り分けて配送する配送振り分け部である。符号１６は、配送された情報の状態変化を記録する履歴情報ファイルである。符号１７は、履歴情報ファイル１６を参照して、配送された情報の状態を情報提供者２へ通知する履歴参照部である。符号１８は、利用者３の属性情報が定義された利用者属性情報ファイルであり、利用者３毎に趣味や嗜好に関する情報が定義されている。符号１９は、利用者毎に設けられたデータファイルを有する電子私書箱であり、情報提供者２から提供された情報は配送処理部１ｂによってこの電子私書箱に蓄えられる。符号２０は、利用者２に対して情報を配送する配送サーバである。符号２１は、携帯電話３２を電子情報配送システム１に接続するために携帯電話接続ゲートウェイである。
【００１３】
次に、図１を参照して、電子情報配送システム１の基本動作を説明する。ここでは、情報提供者２が利用者３に対してダイレクトメールを送信することを例にして説明する。
まず、情報提供者２は、ダイレクトメールの内容である電子情報を情報提供者２が所有するパソコン等を使用して作成する。ここで作成される電子情報とは、文書データ、画像データ、音データ等からなるデジタルデータである。そして、情報提供者２は、作成した電子情報を含むダイレクトメール発送要求を電子情報配送システム１へ送信する。このとき、情報提供者２は、電子情報を配送する場合の配送条件を合わせて電子情報配送システム１へ送信する。ここでいう配送条件とは、ダイレクトメールを配送する配送先を限定するための条件であり、利用者の年齢範囲や趣味、嗜好を指定して、この条件を満たす利用者に対してのみダイレクトメールを配送するために使用されるものである。
【００１４】
情報提供者２より送信された電子情報と配送条件は、配送情報管理部１２によって受信され、配送情報管理部１２内にこの電子情報は保持される。そして、配送情報管理部１２は、内部に保持されている電子情報と配送条件をフィルタ機能部１３へ出力する。これを受けて、フィルタ機能部１３は、利用者属性情報ファイル１８を参照して、受け取った配送条件に合致する利用者を抽出する。続いて、フィルタ機能部１３は、配送条件に合致した利用者毎に電子情報を個別化機能部１４へ出力する。ここで出力される電子情報は、配送条件に合致した利用者の数と同数だけ出力される。
【００１５】
次に、個別化機能部１４は、フィルタ機能部１３から受け取った電子情報に対して、利用者毎に必要な情報を付与してダイレクトメールの様式に変換する個別化処理を行う。この個別化処理では、宛先や差し出し人の情報を付与するとともに、予め決められたダイレクトメールの様式に電子情報をはめ込む等の処理が施される。ただし、ここでいう宛先とは、利用者３毎に設けられた電子私書箱１９を特定するための私書箱ＩＤである。
【００１６】
次に、個別化機能部１４は、利用者毎に個別化処理が施された電子情報を配送振り分け部１５へ出力する。これを受けて、配送振り分け部１５は、個別化機能部１４から受け取った電子情報に付与されている宛先（私書箱ＩＤ）に基づいて、振り分けを行い電子情報を電子私書箱１９へ出力する。電子私書箱１９は、この電子情報を受け取り、私書箱ＩＤに基づいて該当するデータファイルへ蓄える。また、配送振り分け部１５は、電子私書箱１９へ電子情報を出力するのと同期して、配送サーバ２０を介して、ダイレクトメールを配送した私書箱を所有している利用者３へダイレクトメールが届いたことを通知する。
利用者３は、この通知を受けて、Ｗｅｂブラウザ３１または携帯電話３２によって、電子私書箱１９に蓄えられている電子情報を取得する。これによって、情報提供者２から送信されたダイレクトメールが利用者３へ届くこととなる。
【００１７】
一方、電子私書箱１９は、配送振り分け部１５から電子情報を受け取った時点と、利用者３が電子私書箱１９に蓄えられている電子情報を取得した時点で、その旨を示す情報を履歴情報ファイル１６へ蓄える。情報提供者２は、ダイレクトメール発送要求を送信した後の任意のタイミングで電子情報配送システム１に対して、履歴情報参照要求を送信する。この履歴情報参照要求は、履歴参照部１７によって受信される。これを受けて、履歴参照部１７は、該当するダイレクトメールに関する履歴情報を履歴情報ファイル１６から読み出して、その内容を情報提供者２へ送信する。
【００１８】
情報提供者２は、履歴参照部１７から送信された履歴情報を取得し、内容を確認する。これによって、情報提供者は、発送を要求したダイレクトメールが何通発送され、その発送されたダイレクトメールが何人の利用者に見てもらったかを把握することができる。
【００１９】
なお、前述した説明では、配送条件を指定した場合の動作を説明したが、配送条件を指定せずに、予め私書箱ＩＤを指定して直接電子私書箱１９へ配送するようにしてもよい。
【００２０】
このように、情報提供者２は、電子情報配送システム１に対して、ダイレクトメールの内容と配送条件を送信するだけで、複数のダイレクトメールを送ることができる。また、配送条件に合致する利用者のみにダイレクトメールを送るようにしたため、効率よくメールの発送を行うことが可能となる。
【００２１】
次に、他の実施形態を図面を参照して説明する。図２は、他の実施形態の構成を示すブロック図である。図２において、図１にシステムと同一の部分には同一の符号を付し、その説明を省略する。この図において、符号１は、情報配信サービスを行うＮ台（Ｎは自然数）の電子情報配送システムであり、ここでは、情報配信サービス１〜Ｎと図示する。符号３１は、利用者３が所有する利用者端末内に備えられたＷｅｂブラウザである。符号４１は、情報配信サービス１〜Ｎから提供される情報を閲覧するインターネット閲覧装置である。符号４２は、サービス情報管理部であり、符号４３は、ＩＤ変換部である。符号４４は、リスト取得装置であり、インターネット閲覧装置４１の指示に基づいてサービス名のリストを取得依頼を行う。
【００２２】
符号４５は、サービス名とサービスのＵＲＬ（Uniform Resource Locator）を記憶して管理する配信サービス情報管理装置である。符号４６は、配信サービス情報管理装置４６に記憶されている情報からサービス名のリストを生成するリスト生成装置である。符号４７は、配信サービス情報管理装置４６に対して、サービスに関する情報を登録する配信サービス情報登録装置である。符号４８は、各サービスの提供を受ける場合の認証要求に対して入力するユーザＩＤとパスワードを記憶して管理するＩＤ変換情報管理装置である。符号４９は、認証情報の変換依頼を行うＩＤ変換装置である。符号５０は、ユーザＩＤとパスワードを各サービスを提供するシステムに対して送信するＩＤ送信装置である。
【００２３】
次に、図３を参照して、図２に示す実施形態の動作を説明する。図３は、図２に示す実施形態の動作を示すシーケンス図である。初めに、初期登録動作を説明する。
まず、利用者３は、利用者端末内に備えられたインターネット閲覧装置４１を起動する（ステップＳ１）。続いて、利用者３は、インターネット閲覧装置４１上から、配信サービス登録装置４７に対して、情報配信サービス登録依頼を行う（ステップＳ２）。これを受けて、配信サービス登録装置４７は、配信サービス情報管理装置４５に対して、サービス情報（サービス名称、ＵＲＬ、サービスＩＤなど）を登録する（ステップＳ３）。同時に配信サービス登録装置４７は、ＩＤ変換情報管理装置４８に対して、サービスＩＤ、ユーザＩＤ、及びパスワードの組を登録する（ステップＳ３）。
【００２４】
この登録を受けて、配信サービス情報管理装置４５とＩＤ変換情報管理装置４８は、それぞれインターネット閲覧装置４１に対して、登録結果を返す（ステップＳ４）。
【００２５】
次に、利用者３が情報配信を受けるときに、利用者端末をインターネット上の情報配信サービスを行うシステムへ接続する動作を説明する。
まず、利用者３は、情報配信サービス利用時にインターネット閲覧装置４１を利用者端末から起動する（ステップＳ５）。そして、利用者３は、利用したい情報配信サービスを選択するためのリストを得るため、インターネット閲覧装置４１からリスト取得装置４４に対してサービスリスト取得依頼を行う（ステップＳ６）。これを受けて、リスト取得装置４４は、配信サービス情報管理装置４５に対し、サービス情報取得依頼を行う（ステップＳ７）。
【００２６】
次に、配信サービス情報管理装置４５は、内部に記憶されている配信サービス情報を読み出し、その内容をリスト生成装置４６へ送ることによってリスト生成依頼を行う（ステップＳ８）。これを受けて、リスト生成装置４６は、受け取った配信サービス情報から配信サービスリストを生成し、この配信サービスリストをインターネット閲覧装置４１へ返す（ステップＳ９）。
【００２７】
この配信サービスリストは、図２に示すように、「サービスＩＤ」、「サービス名」、「ＵＲＬ」の３つの情報が関連付けられたリストであり、先に登録動作によって、配信サービス情報管理装置４５内に記憶されている情報から生成されるものである。図２の例では、「サービスＩＤ」が「＃０００００１」であり、「サービス名」が「情報配信サービス２」であり、「ＵＲＬ」が「http://www.***.com」となる。また、この例では、１件のみを図示したが、登録されている全ての情報からリストが生成される。
【００２８】
次に、利用者３は、インターネット閲覧装置４１上で配信サービスリストを閲覧し、利用したい配信サービスを選択する。ここでは、選択されたサービス名が「情報配信サービス２」であるものとする。そして、インターネット閲覧装置４１は、選択されたサービス名に該当するＵＲＬ（ここでは、http://www.***.comとなる）に基づいて、情報配信サービス２に対してアクセスし、利用依頼を行う（ステップＳ１０）。
【００２９】
これを受けて、情報配信サービス２を行う電子情報配送システム１は、インターネット閲覧装置４１に対して認証要求を返す（ステップＳ１１）。インターネット閲覧装置４１は、ＩＤ変換装置４９起動し、先に選択されたサービスのサービスＩＤ（ここでは、＃０００００１となる）をＩＤ変換装置４９へ送る（ステップＳ１２）。続いて、ＩＤ変換装置４９は、ＩＤ変換情報管理装置４８へサービスＩＤを送ることによって、認証情報変換依頼を行う（ステップＳ１３）。これを受けて、ＩＤ変換情報管理装置４８は、送られたサービスＩＤを基に、該当するユーザＩＤとパスワードを払い出し、その結果をＩＤ送信装置５０へ送る（ステップＳ１４）。ＩＤ変換情報管理装置４８は、「サービスＩＤ」毎に対応する「ユーザＩＤ」と「パスワード」が定義されており、サービスＩＤが＃０００００１であれば、ユーザＩＤとパスワードは、「hki2001」と「kgi73elo」となる。
【００３０】
次に、ＩＤ送信装置５０は、インターネット閲覧装置４１を通じて情報配信サービス２を行う電子情報配送システム１に対して、ユーザＩＤとパスワードの組を送信する（ステップＳ１５）。これによって、利用者端末は、情報配信サービス２を行う電子情報配送システム１と接続されることとなる。
【００３１】
このように、利用者３は、接続したいサービス名を選択するだけで、ユーザＩＤ及びパスワードを接続の度に入力することなく、簡単に接続動作を行うことが可能となる。また、配信サービス情報管理装置４５内にサービス名とＵＲＬを記憶するようにして、ＩＤ変換情報管理装置４８内にユーザＩＤとパスワードを記憶するようにして、それぞれ分割して記憶するようにしたため、どちらか一方の内容が不正に取得されても取得した内容に基づいて不正にサービスを使用されること防止することができる。
【００３２】
なお、利用者３が所有する利用者端末を第三者によって不正に使用されることを防止するために、ステップＳ１及びＳ５における起動時において、操作する者に対して、パスワードの入力を要求し、予め決められたパスワードの入力がされた場合のみ、インターネット閲覧装置４１を起動するようにしてもよい。
【００３３】
また、図３に示す処理の機能を実現するためのプログラムをコンピュータ読み取り可能な記録媒体に記録して、この記録媒体に記録されたプログラムをコンピュータシステムに読み込ませ、実行することによりインターネット接続処理を行ってもよい。なお、ここでいう「コンピュータシステム」とは、ＯＳや周辺機器等のハードウェアを含むものとする。また、「コンピュータシステム」は、ＷＷＷシステムを利用している場合であれば、ホームページ提供環境（あるいは表示環境）も含むものとする。また、「コンピュータ読み取り可能な記録媒体」とは、フロッピーディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００３４】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３５】
【発明の効果】
以上説明したように、この発明によれば、利用者は、接続したいサービス名を選択するだけで、ユーザＩＤ及びパスワードを接続の度に入力することなく、簡単にインターネット接続動作を行うことができるという効果が得られる。また、サービス名とＵＲＬの組と、ユーザＩＤとパスワードの組を、それぞれ異なる記憶手段に登録するようにしたため、どちらか一方の内容が不正に取得されても取得した内容に基づいて不正にサービスを使用されること防止することができるという効果が得られる。
【図面の簡単な説明】
【図１】  本発明の一実施形態の構成を示すブロック図である。
【図２】  本発明の他の実施形態の構成を示すブロック図である。
【図３】  図２に示す実施形態の動作を示すシーケンス図である。
【符号の説明】
１・・・電子情報配送システム、      ２・・・情報提供者、
３・・・利用者、                    １１・・・運転管理部、
１２・・・配送情報管理部、          １３・・・フィルタ機能部、
１４・・・個別化機能部、            １５・・・配送振り分け部、
１６・・・履歴情報ファイル、        １７・・・履歴参照部、
１８・・・利用者属性情報ファイル、  １９・・・電子私書箱、
１９ａ・・・データファイル、        ２０・・・配送サーバ、
２１・・・携帯電話接続ゲートウェイ、３１・・・Ｗｅｂブラウザ、
３２・・・携帯電話、                １ａ・・・管理部、
１ｂ・・・配送処理部、              ４１・・・インターネット閲覧装置、
４２・・・サービス情報管理部、      ４３・・・ＩＤ変換部、
４４・・・リスト取得装置、          ４５・・・配信サービス情報管理装置、
４６・・・リスト生成装置、          ４７・・・配信サービス情報登録装置、
４８・・・ＩＤ変換情報管理装置、    ４９・・・ＩＤ変換装置、
５０・・・ＩＤ送信装置。
【図１】
0003636647.tif 000002
【図２】
0003636647.tif 000003
【図３】
0003636647.tif 000004